(57)【特許請求の範囲】
【請求項１】
装置本体の外装近傍に設けられた開閉支点を中心に該装置本体の外側に向かって開閉可能なアームと、
前記アームの前記装置本体に対する開閉支点と反対側に設けられた揺動中心を中心に前記シート給送手段に対して揺動可能に構成されたシート載置手段と、
前記シート載置手段に載置されたシートを給送するシート給送手段と、
前記シート給送手段の回転に伴って回転する制御部材と、
前記制御部材の回転に伴って該制御部材と当接又は離間し、前記シート載置手段に係止されて一体的となるカムフォロワと、
前記カムフォロワの前記制御部材と反対側に当接し、前記カムフォロワを介して前記シート載置手段を前記シート給送手段に対して付勢する付勢手段と、を有し、
前記制御部材が前記カムフォロワと当接することで前記付勢手段の付勢力に抗して前記シート載置手段に載置されたシートを前記シート給送手段から離間させ、
前記制御部材が前記カムフォロワから離間することで前記付勢手段の付勢力により前記シート載置手段に載置されたシートを前記シート給送手段と当接させることを特徴とするシート給送装置。
【請求項２】
前記シート載置手段の側端部の軸に揺動可能に配設され、前記カムフォロワに対して係止されるフックと、
前記フックと係合し、前記軸を中心に前記フックを揺動させるロッドと、
前記ロッドを引き寄せて前記フックの前記カムフォロワに対する係止を解除する把手と、
を有することを特徴とする請求項１に記載のシート給送装置。
【請求項３】
装置本体の外装近傍に設けられた開閉支点を中心に該装置本体の外側に向かって開閉可能なシート載置手段と、
前記シート載置手段の前記装置本体に対する開閉支点と反対側に設けられた揺動中心を中心に前記シート給送手段に対して揺動可能で且つシートを載置する中板と、
前記中板上に載置されたシートを給送するシート給送手段と、
前記シート載置手段を前記装置本体の外側に向かって開放した際に前記シート載置手段の前記シート給送手段側端部を係止して保持するロックフックと、
前記シート載置手段の前記シート給送手段側端部と前記中板との間に配設され前記中板を前記シート給送手段に対して付勢する付勢手段と、
を有することを特徴とするシート給送装置。
【請求項４】
前記中板の揺動中心側から前記ロックフックに延びて配設されるコンプレッションロッドと、
前記コンプレッションロッドを前記ロックフックに対して押圧して該ロックフックと前記シート載置手段との係合を解除する把手と、
を有することを特徴とする請求項３に記載のシート給送装置。
【請求項５】
前記シート載置手段は、前記装置の外装カバーを備えていることを特徴とする請求項１乃至４のいずれか１項に記載のシート給送装置。
【請求項６】
請求項１乃至５のいずれか１項に記載のシート給送装置を備え、該シート給送装置により給送されたシートに画像情報に応じて画像を形成する画像形成手段を有することを特徴とする画像形成装置。
【発明の詳細な説明】
【０００１】
【発明の属する技術分野】
本発明は、プリンタ等の画像形成装置のシート給送装置に関するものであり、例えば、背面が外装を兼ね、装置本体に対して開閉可能な所謂マルチ給送トレイを備え、給送ローラとこれに対向する摩擦部材によりシートを一枚ずつ分離して給送する画像形成装置のシート給送装置に好適な技術に関するものである。
【０００２】
【従来の技術】
従来、この種のシート給送装置は、装置のコンパクト化を図るために、図15（ａ）に示すように、背面が外装カバーを兼ねるシート載置トレイ101 を装置本体の外装102 近傍に設けた支軸103 を中心に装置本体の外側に向かって開放可能に設け、更に給送ローラ104 を装置本体の外装102 近傍に設けている。
【０００３】
このため、シート載置トレイ101 上に積載したシートＳの先端部を支持すると共に、図示しない付勢手段により給送ローラ104 に対して所定の圧力で押圧される中板105 は、その揺動中心106 が給送ローラ104 と外装102 との間に配置されるため、該中板105 のシート給送方向の長さ（給送ローラ104 から中板105 の揺動中心106 までの距離）Ｌは、例えば４０mm〜１００mm程度と非常に短い長さで設定される。
【０００４】
そして、シート載置トレイ101 上に適当な高さｈでシートＳを積載すると共に、該シートＳを給送ローラ104 の方向に押し込むと、図15（ｂ）に示すように、中板105 が最適な角度（分離パッド108 の面と中板105 の面とがなす角度）θ1 に傾斜して中板105 上のシートＳの先端を給送ローラ104 と分離パッド108 とのニップ部に導き、給送ローラ104 を図15（ｂ）の矢印ａ方向に回転させると、図15（ｂ）に示すように、中板105 の下流側でコイルバネ107 により付勢され、給送ローラ104 に対して圧接する分離パッド108 によりシートＳの先端が捌かれて、正常にシートＳが分離され、最上位の１枚のみが分離，給送される。
【０００５】
【発明が解決しようとする課題】
上記構成において、中板105 上に積載されたシートＳの給送ローラ104 に対する当接角度は、シートＳの積載高さｈに関わらず、一定に保つことが望ましい。しかしながら、前述の従来の技術では、中板105 のシート給送方向の長さＬが非常に短い長さで設定されるため、シートＳの少量積載時に最適な設計をした場合に、シートＳの満載積載時にはシートＳの先端部が図15（ａ）に示す角度α分だけ下向きに傾斜した状態で給送ローラ104 と分離パッド108 とのニップ部に進入する。
【０００６】
ここで、図16（ａ）に示すように、シート載置トレイ101 上に積載されたシートＳの高さｈが比較的低く、中板105 の傾斜角度θ2 が小さすぎると、分離パッド108 によるシートＳの分離作用が効果的に行われず、複数のシートＳが給送ローラ104 と分離パッド108 との間を通過してしまう所謂重送が発生する虞がある。
【０００７】
また、図16（ｂ）に示すように、シート載置トレイ101 上に積載されたシートＳの高さｈが比較的高く、中板105 の傾斜角度θ3 が大きすぎると、シートＳの先端が給送ローラ104 と分離パッド108 とのニップ部に正常に進入できず、シートＳの先端が折れる等して給送不良が発生し、ジャムする虞がある。
【０００８】
上記問題を回避するためには、仕様上でシートＳの積載高さｈを小さく設定することで、角度αが小さい範囲で使用されるように規制するほかになく、大容量で使用したいユーザにはシートＳの補充回数が多くなり、事務的作業能率が低下するという問題があった。
【０００９】
本発明は前記課題を解決するものであり、その目的とするところは、装置のコンパクト化を図ったマルチ給送トレイ方式のシート給送装置であってもシートの大容量積載給送を可能にするシート給送装置及びこれを備えた画像形成装置を提供せんとするものである。
【００１０】
【課題を解決するための手段】
前記目的を達成するための本発明に係る代表的な構成は、装置本体の外装近傍に設けられた開閉支点を中心に該装置本体の外側に向かって開閉可能なアームと、前記アームの前記装置本体に対する開閉支点と反対側に設けられた揺動中心を中心に前記シート給送手段に対して揺動可能に構成されたシート載置手段と、前記シート載置手段に載置されたシートを給送するシート給送手段と、前記シート給送手段の回転に伴って回転する制御部材と、前記制御部材の回転に伴って該制御部材と当接又は離間し、前記シート載置手段に係止されて一体的となるカムフォロワと、前記カムフォロワの前記制御部材と反対側に当接し、前記カムフォロワを介して前記シート載置手段を前記シート給送手段に対して付勢する付勢手段と、を有し、前記制御部材が前記カムフォロワと当接することで前記付勢手段の付勢力に抗して前記シート載置手段に載置されたシートを前記シート給送手段から離間させ、前記制御部材が前記カムフォロワから離間することで前記付勢手段の付勢力により前記シート載置手段に載置されたシートを前記シート給送手段と当接させることを特徴とするシート給送装置である。
【００１１】
本発明は、上述の如く構成したので、シート載置手段がシート給送手段に対して揺動する揺動中心をシート給送手段からシート搬送方向に十分離れた位置に設定したことで、シートの満載時から少量積載時までのシート載置手段の角度変化を小さく抑えることが出来、これにより、シートの積載高さに関わらず、シートの分離，給送性能が良好に維持出来る。従って、装置のコンパクト化を図ったマルチ給送トレイ方式のシート給送装置であってもシートの大容量積載給送を可能にすることが出来る。さらに、前記制御部材が前記カムフォロワと当接することで前記付勢手段の付勢力に抗して前記シート載置手段に載置されたシートを前記シート給送手段から離間させ、前記制御部材が前記カムフォロワから離間することで前記付勢手段の付勢力により前記シート載置手段に載置されたシートを前記シート給送手段と当接させる。これにより、良好なシート搬送を行うことが出来る。
【００１２】
【発明の実施の形態】
図により本発明に係るシート給送装置及びこれを備えた画像形成装置の一実施形態を具体的に説明する。図１は本発明に係るシート給送装置の概念図、図２は本発明に係るシート給送装置の第１実施形態の構成を示す斜視図、図３は第１実施形態の外装カバーを兼ねるシート載置手段を装置本体に対して閉鎖した状態を示す断面説明図、図４は第１実施形態のアームの固定手段の構成を示す斜視図、図５は第１実施形態の外装カバーを兼ねるシート載置手段を開放状態で固定する固定手段の構成を示す側面図、図６及び図７は第１実施形態の制御部材の動作を示す断面説明図、図８及び図９は第１実施形態の外装カバーを兼ねるシート載置手段を開放状態で固定する固定手段の解除動作を示す断面説明図、図10は本発明に係るシート給送装置を備えた画像形成装置の構成を示す断面説明図である。
【００１３】
図１は本発明に係るシート給送装置の概念図を示す。外装カバーを兼ねるシート載置手段となるシート載置トレイ１の自由端側近傍に、該シート載置トレイ１のシート給送手段となる給送ローラ２に対して揺動する揺動中心となる揺動軸３を設けることで、シート搬送方向における給送ローラ２からシート載置トレイ１の揺動軸３までの離間距離Ｌが十分に長くなり、シートＳの先端部が給送ローラ２と摩擦分離手段となる分離パッド４とのニップ部に進入する時の下向きの傾斜角度αを小さく抑えることが出来るものである。
【００１４】
上記構成により、シートＳの積載高さｈに関わらず、シートの分離，給送性能が良好に維持出来る。従って、装置のコンパクト化を図ったマルチ給送トレイ方式のシート給送装置であっても、装置に内蔵される大容量カセット並のシートＳの大容量積載給送を可能にすることが出来る。
【００１５】
図２〜図９を用いて上記シート給送装置を具体化した第１実施形態について詳細に説明する。図２において、５は装置本体の外装であり、外装５の一部として外装カバーを兼ねるシート載置手段となるシート載置トレイ１は装置本体の外装５の近傍に設けられた開閉支点となる支軸６を中心にアーム13と一体的に該装置本体の外側に向かって開閉可能に構成されている。
【００１６】
支軸６の比較的近傍に設けられ、シート載置トレイ１上に載置された紙や合成樹脂等で構成されるシートＳを給送するシート給送手段となる給送ローラ２は、回転駆動源となるモータＭに連結されたギア７，８及び一回転制御クラッチ９を介して回転駆動力が伝達される給送軸10に固定されており、一回転制御クラッチ９の作用により一回転制御される。
【００１７】
給送軸10には、制御部材となるカム11が固定されており、該カム11も給送軸10と一体的に一回転制御される。カム11の位相は図示しないセンサにより常に定められた位置で停止するように管理されている。
【００１８】
給送ローラ２に対向してコイルバネ12等の付勢手段により所定の圧力で常時付勢された摩擦分離手段となる分離パッド４が設けてあり、給送ローラ２と分離パッド４とのニップ部に進入したシートＳが給送ローラ２により給送される時、分離パッド４の摩擦分離作用によりシートＳの先端が捌かれて一枚ずつに分離されて給送される。
【００１９】
シート載置トレイ１は、該シート載置トレイ１の両側面に断面コの字形状のアーム13の両側の一対の側片13ａ，13ｂの夫々の先端部に設けられた揺動中心となる揺動軸３を中心に該アーム13に対して揺動可能に取り付けられており、該アーム13は装置本体の外装５の近傍に設けられた開閉支点となる支軸６を中心に回動可能に構成されている。
【００２０】
また、シート載置トレイ１の給送ローラ２側の端部には、アーム13の底片13ｃに対応する位置に窪み部１ａが形成されており、シート載置トレイ１を揺動軸３を中心に図２の反時計回り方向に回転させると、この窪み部１ａの前面１ｂと底片13ｃの端辺13c1とが当接してシート載置トレイ１とアーム13とが一体的に支軸６を中心にして図２の反時計回り方向に回転し、シート載置トレイ１とアーム13とが一体的に起立して装置本体に対して閉鎖することが出来るようになっている。
【００２１】
開閉支点となる支軸６はシート載置トレイ１の一端部側に配置され、揺動中心となる揺動軸３は支軸６の反対側のシート載置トレイ１の他端部側に配置されている。この構成により、図１に示すシート搬送方向における給送ローラ２からシート載置トレイ１の揺動軸３までの離間距離Ｌが十分に長くなるように構成される。
【００２２】
シート載置トレイ１は図２に示す上面がシートＳの載置面となり、下面が該シート載置トレイ１を閉鎖した時の装置の外装面となっている。
【００２３】
14は給送軸10に固定されたカム11に当接するカムフォロワであり、支軸６を中心にして揺動可能に軸支されている。カムフォロワ14の背面には、一端が装置本体のフレームに係止された付勢手段となるコイルバネ22が当接されており、該コイルバネ22の弾性力により、シート載置トレイ１を給送ローラ２に対して所定の圧力で付勢することが出来るようになっている。尚、この付勢手段はコイルバネ22の他に板バネや種々の弾性部材により構成することが可能である。
【００２４】
また、シート載置トレイ１の給送ローラ２側端部にはフック15が軸16により回動可能に軸支されており、該フック15をカムフォロワ14に設けられた係止部17に係合して係止することで、アーム13に対するシート載置トレイ１の揺動を固定するようになっている。このフック15とカムフォロワ14に設けられた係止部17とによりシート載置トレイ１を開放状態で固定する固定手段を構成する。
【００２５】
また、シート載置トレイ１の開放端側には軸18により回動可能に軸支された把手19が設けられており、該把手19は軸18に嵌合されたねじりコイルバネ20により軸18を中心に常時図２の反時計回り方向に付勢されている。
【００２６】
前記フック15と前記把手19の一端部とはロッド21により係合されており、これによって、フック15はねじりコイルバネ20の弾性力により把手19及びロッド21を介して軸16を中心に常時図２の時計回り方向に付勢されている。
【００２７】
図２はシート載置トレイ１を装置本体に対して開放した状態を示し、フック15がカムフォロワ14の係止部17の凹部に係合してシート載置トレイ１がカムフォロワ14に係止されて固定され、給送ローラ２の回転に伴ってカム11が回転し、カム11に当接するカムフォロワ14と一体的にシート載置トレイ１が揺動軸３を中心にして揺動し、該シート載置トレイ１の給送ローラ２側端部が給送ローラ２に対して昇降する様子を示す。
【００２８】
図３はユーザが図８に示すように、把手19を矢印ｃ方向に押し上げてフック15のカムフォロワ14の係止部17に対する係合を解除し、シート載置トレイ１を揺動軸３を中心に図２の反時計回り方向に回動すると共に、シート載置トレイ１の窪み部１ａの前面１ｂがアーム13の底片13ｃの端辺13c1に当接して該シート載置トレイ１がアーム13と一体的に支軸６を中心にして図２の反時計回り方向に回動してシート載置トレイ１を起立させ、装置本体に対して閉鎖した状態を示す。
【００２９】
シート載置トレイ１を装置本体に対して開放する際には、図４に示すように、アーム13の側片13ａの根本部分が支軸６の下部に対向する外装５の上面５ａに設けられたストッパ23に当接してアーム13の開き量が規制され、丁度、シート載置トレイ１が開き切った状態になると、図５に示すように、フック15がカムフォロワ14に設けた係止部17に係合して係止されるように設定されている。
【００３０】
図６はシート載置トレイ１を装置本体に対して開放した状態で、シート載置トレイ１上にシートＳをセットした状態を示す。この状態から、モータＭがオンになって一回転制御クラッチ９が動作すると、図７に示すように、カム11が図７の矢印ｂ方向に回転し、カム11はカムフォロワ14に当接摺動しつつ大径部から小径部に移動し、カムフォロワ14はコイルバネ22の伸長力により上昇する。
【００３１】
この時、カムフォロワ14の係止部17にフック15が係止された状態でシート載置トレイ１がカムフォロワ14と一体的に揺動軸３を中心に図７の時計回り方向に揺動し、やがて、カム11はカムフォロワ14から離間する。そして、シート載置トレイ１上に載置された最上位のシートＳが給送ローラ２に所定の圧力で当接し、カム11と一体的に回転する給送ローラ２によりシートＳが繰り出され、シートＳの先端が給送ローラ２と分離パッド４とのニップ部に進入して捌かれ、最上位の１枚のシートＳだけが分離されて給送される。
【００３２】
更にカム11が図７の矢印ｂ方向に回転すると、カム11がカムフォロワ14に接触して当接し、カム11はカムフォロワ14に当接摺動しつつ小径部から大径部に移動する。そして、カムフォロワ14はカム11によりコイルバネ22の伸長力に抗して下方に押圧され、カムフォロワ14の係止部17にフック15が係止された状態でシート載置トレイ１はカムフォロワ14と一体的に揺動軸３を中心にして図７の反時計回り方向に揺動する。
【００３３】
これにより、シート載置トレイ１上のシートＳと給送ローラ２とが離間して、後続するシートＳの給送開始スタンバイ状態に遷移する。
【００３４】
上記構成によれば、シート載置トレイ１は給送ローラ２から十分離れた揺動軸３を中心に揺動するので、シートＳの積載量が少ない場合と多い場合の何れにおいても、シートＳ面と給送ローラ２との当接角度が殆ど変化しない。従って、シートＳの満載から無くなるまでシートＳの安定した分離，給送性能を維持でき、シートＳの給送不良や重送等を防止して良好な給送が出来る。
【００３５】
また、シート載置トレイ１は、シートＳの載置が可能なように装置本体に対して開放した状態では、フック15がカムフォロワ14の係止部17に係止されて固定されるので、シート載置トレイ１が不用意に閉じてしまうことがなく、しかもシートＳの給送動作中は外装５上のストッパ23に当接したアーム13は動かず、シート載置トレイ１上のシートＳの残量に対応してシート載置トレイ１が揺動軸３を中心として安定して揺動する。
【００３６】
また、シート載置トレイ１を装置本体に対して閉鎖する場合には、図８に示すように、ねじりコイルバネ20の弾性力に抗して把手19を軸18を中心に図８の矢印ｃ方向に押し上げることで、ロッド21が図８及び図９の矢印ｄ方向に引っ張られ、図９に示すように、ロッド21に連結されたフック15が軸16を中心に図９の反時計回り方向に回動してカムフォロワ14の係止部17から外れて解除され、シート載置トレイ１をアーム13と一体的に支軸６を中心に図８の矢印ｅ方向に回動して起立させ、該アーム13と一体的に装置本体に対して閉鎖することが出来る。
【００３７】
次に本発明に係るシート給送装置を装備した画像形成装置の構成を図10を用いて説明する。画像形成装置本体の図10の右側部には、前述した装置本体に対して開閉可能で、外装カバーを兼ねるシート載置トレイ１が設けられており、更に画像形成装置本体の下部には紙や合成樹脂等で構成されるシートＳを収容するシートカセットK1，K2が設けられている。
【００３８】
前記シート載置トレイ１から給送ローラ２により繰り出されたシートＳは分離パッド４により一枚ずつ分離，給送されてレジストローラ対24まで搬送される。また、シートカセットK1，K2からシート分離給送手段R1，R2により選択的に分離，給送されたシートＳは搬送ローラ33等によりレジストローラ対24まで搬送される。
【００３９】
一方、画像形成手段となる電子写真感光体ドラム25は図示しない帯電手段により表面が一様に帯電され、画像情報を含むレーザ光がレーザ露光光学系26から出射されてミラー27を反射して感光体ドラム25の表面に照射されて静電潜像を形成する。
【００４０】
そして、図示しない現像手段により前記静電潜像にトナー画像が形成され、感光体ドラム25の回転に同期してレジストローラ対24により送られたシートＳが感光体ドラム25と転写ローラ28とのニップ部を通過して該感光体ドラム25上のトナー画像がシートＳに転写され、定着装置29を通ってトナー画像が永久定着され、搬送ローラ対30及び排出ローラ対31により画像形成装置本体の上部に設けられた排出トレイ32上に排出される。
【００４１】
次に本発明に係るシート給送装置の第２実施形態について図11〜図14を用いて説明する。図11は本発明に係るシート給送装置の第２実施形態の外装カバーを兼ねるシート載置手段を装置本体に対して開放した状態を示す断面説明図、図12は及び図13は第２実施形態の外装カバーを兼ねるシート載置手段を開放状態で固定する固定手段の解除動作を示す断面説明図、図14は第２実施形態の外装カバーを兼ねるシート載置手段を装置本体に対して閉鎖した状態を示す断面説明図である。尚、前記第１実施形態と同様に構成したものは同一の符号を付して説明を省略する。
【００４２】
本実施形態では、外装カバーを兼ねるシート載置手段を構成するシート載置トレイカバー41が装置本体の外装５の近傍に設けられた開閉支点となる支軸42を中心に開閉可能に軸支されている。また、シート載置トレイカバー41の開放端部には、該シート載置トレイカバー41に形成された穴41ａに断面Ｚ形状の端部43ａが挿通された中板43が揺動中心となる穴41ａと端部43ａとの係合部を中心に揺動可能に支持されている。
【００４３】
シート載置トレイカバー41の給送ローラ２側端部には中板43を給送ローラ２に対して所定の圧力で付勢する付勢手段となるコイルバネ44が設けてあり、中板43の給送ローラ２側端部が給送ローラ２に当接している状態で、コイルバネ44の伸長力によりシート載置トレイカバー41は支軸42を中心にして図11の反時計回り方向に回転する力が作用する。尚、この付勢手段はコイルバネ44の他に板バネや種々の弾性部材により構成することが可能である。
【００４４】
一方、シート載置トレイカバー41の給送ローラ２側端部は外装５の内面側にビス45により固定して取り付けられた固定手段となるロックフック46により係止され、これによりシート載置トレイカバー41及び中板43が装置本体に対して開放した状態で保持される。
【００４５】
本実施形態では、前記ロックフック46は樹脂材料で構成されており、そのバネ性により撓むことが出来、これにより、シート載置トレイカバー41を開放状態で固定する方向に付勢する。尚、前記ロックフック46は所定の弾性と剛性を有するものであれば、他の材料で構成しても良い。
【００４６】
また、図示しないが、本実施形態でも前記第１実施形態と同様に、制御部材となるカム11が中板43に当接係合して一回転制御クラッチ９の動作により前述と同様な当接／退避動作が行われるように構成されている。
【００４７】
また、シート載置トレイカバー41の開放端側には、図12に示すように、軸47により回動可能に軸支された把手48が設けられており、該把手48は軸47に嵌合されたねじりコイルバネ49により軸47を中心に常時図12の反時計回り方向に付勢されている。
【００４８】
前記把手48にはコンプレッションロッド50が係合されており、該コンプレッションロッド50の端部はロックフック46に対向する位置に配置されている。そして、シート載置トレイカバー41を中板43と一体的に装置本体に対して閉鎖する際には、把手48を図12の矢印ｆ方向に押し上げることで、コンプレッションロッド50が図12及び図13の矢印ｇ方向に移動し、該コンプレッションロッド50の端部がロックフック46を押して該ロックフック46が図13の矢印ｉ方向に退避し、ロックフック46とシート載置トレイカバー41との係合が外れてシート載置トレイカバー41及び中板43は一体的に支軸42を中心に図14の反時計回り方向に回動し、図14に示すように起立した状態で装置本体に対して閉鎖される。
【００４９】
図11及び図14に示す51は、シート載置トレイカバー41の上部の外装５に設けられた係止部材であり、シート載置トレイカバー41を起立させて装置本体に対して閉鎖した時、該シート載置トレイカバー41の開放端部に形成された凹部41ｂに係合してシート載置トレイカバー41を係止して固定する。他の構成は前記第１実施形態と同様に構成し、同様な効果を得ることが出来る。
【００５０】
【発明の効果】
本発明は、上述の如き構成と作用とを有するので、シート載置手段がシート給送手段に対して揺動する揺動中心をシート給送手段からシート搬送方向に十分離れた位置に設定したことで、シートの満載時から少量積載時までのシート載置手段の揺動角度変化を小さく抑えることが出来、これにより、シートの積載高さに関わらず、シートの分離，給送性能が良好に維持出来る。従って、装置のコンパクト化を図ったマルチ給送トレイ方式のシート給送装置であってもシートの大容量積載給送を可能にすることが出来る。さらに、前記制御部材が前記カムフォロワと当接することで前記付勢手段の付勢力に抗して前記シート載置手段に載置されたシートを前記シート給送手段から離間させ、前記制御部材が前記カムフォロワから離間することで前記付勢手段の付勢力により前記シート載置手段に載置されたシートを前記シート給送手段と当接させる。これにより、良好なシート搬送を行うことが出来る。
【００５１】
また、固定手段の作用により、給送動作時にシート給送手段からシート載置手段が受ける給送圧により該シート載置手段の揺動中心が該シート載置手段の閉鎖する方向に振動するといった問題も防止できる。
【図面の簡単な説明】
【図１】本発明に係るシート給送装置の概念図である。
【図２】本発明に係るシート給送装置の第１実施形態の構成を示す斜視図である。
【図３】第１実施形態の外装カバーを兼ねるシート載置手段を装置本体に対して閉鎖した状態を示す断面説明図である。
【図４】第１実施形態のアームの固定手段の構成を示す斜視図である。
【図５】第１実施形態の外装カバーを兼ねるシート載置手段を開放状態で固定する固定手段の構成を示す側面図である。
【図６】第１実施形態の制御部材の動作を示す断面説明図である。
【図７】第１実施形態の制御部材の動作を示す断面説明図である。
【図８】第１実施形態の外装カバーを兼ねるシート載置手段を開放状態で固定する固定手段の解除動作を示す断面説明図である。
【図９】第１実施形態の外装カバーを兼ねるシート載置手段を開放状態で固定する固定手段の解除動作を示す断面説明図である。
【図１０】本発明に係るシート給送装置を備えた画像形成装置の構成を示す断面説明図である。
【図１１】本発明に係るシート給送装置の第２実施形態の外装カバーを兼ねるシート載置手段を装置本体に対して開放した状態を示す断面説明図である。
【図１２】第２実施形態の外装カバーを兼ねるシート載置手段を開放状態で固定する固定手段の解除動作を示す断面説明図である。
【図１３】第２実施形態の外装カバーを兼ねるシート載置手段を開放状態で固定する固定手段の解除動作を示す断面説明図である。
【図１４】第２実施形態の外装カバーを兼ねるシート載置手段を装置本体に対して閉鎖した状態を示す断面説明図である。
【図１５】（ａ），（ｂ）は従来例を説明する図である。
【図１６】（ａ），（ｂ）は従来例の課題を説明する図である。
【符号の説明】
１…シート載置トレイ、１ａ…窪み部、１ｂ…前面、２…給送ローラ、３…揺動軸、４…分離パッド、５…外装、５ａ…上面、６…支軸、７，８…ギア、９…一回転制御クラッチ、10…給送軸、11…カム、12…コイルバネ、13…アーム、13ａ，13ｂ…側片、13ｃ…底片、13c1…端辺、14…カムフォロワ、15…フック、16…軸、17…係止部、18…軸、19…把手、20…ねじりコイルバネ、21…ロッド、22…コイルバネ、23…ストッパ、24…レジストローラ対、25…感光体ドラム、26…レーザ露光光学系、27…ミラー、28…転写ローラ、29…定着装置、30…搬送ローラ対、31…排出ローラ対、32…排出トレイ、33…搬送ローラ、41…シート載置トレイカバー、41ａ…穴、41ｂ…凹部、42…支軸、43…中板、43ａ…端部、44…コイルバネ、45…ビス、46…ロックフック、47…軸、48…把手、49…ねじりコイルバネ、50…コンプレッションロッド、51…係止部材、K1，K2…シートカセット、Ｍ…モータ、R1，R2…シート分離給送手段、Ｓ…シート
【図１】
0003673612.tif 000002
【図２】
0003673612.tif 000003
【図３】
0003673612.tif 000004
【図４】
0003673612.tif 000005
【図５】
0003673612.tif 000006
【図６】
0003673612.tif 000007
【図７】
0003673612.tif 000008
【図８】
0003673612.tif 000009
【図９】
0003673612.tif 000010
【図１０】
0003673612.tif 000011
【図１１】
0003673612.tif 000012
【図１２】
0003673612.tif 000013
【図１３】
0003673612.tif 000014
【図１４】
0003673612.tif 000015
【図１５】
0003673612.tif 000016
【図１６】
0003673612.tif 000017